(57)【特許請求の範囲】
【請求項１】
外科手術用デバイスであって、該外科手術用デバイスは、
操作者の手によって保持されるように構成されたハンドルと、
該ハンドルに結合されたシャフト部分であって、該シャフト部分は、シャフト長手方向軸を規定する、シャフト部分と、
該シャフト部分に対して回転および旋回するように該シャフト部分の遠位端に支持されているエンドエフェクタと、
該シャフト部分を通って延びる第一の駆動シャフトであって、該シャフト部分の該シャフト長手方向軸の周りでの該エンドエフェクタの回転を引き起こすように該エンドエフェクタに作動可能に接続されている第一の駆動シャフトと、
該シャフト部分を通って延びる第二の駆動シャフトであって、該シャフト部分の該シャフト長手方向軸に対する該エンドエフェクタの旋回を引き起こすように該エンドエフェクタに作動可能に接続されている第二の駆動シャフトと、
該ハンドルを保持する該操作者の手の親指によって起動されるように該ハンドルに支持されている制御器と
を備え、
該制御器は、
第一の回転可能部材と、
第二の回転可能部材と
を備え、
該第一の回転可能部材は、該第一の回転可能部材の第一の方向および第二の方向への回転の際に、対応して、該第一の駆動シャフトを第一の方向および第二の方向のうちの一方に回転させて、該シャフト部分に対する該エンドエフェクタの対応する第一の方向への回転および第二の方向への回転を引き起こすように構成されており、
該第二の回転可能部材は、該第二の回転可能部材の第一の方向および第二の方向への回転の際に、対応して、該第二の駆動シャフトを第一の方向および第二の方向のうちの一方に回転させて、シャフト部分に対する該エンドエフェクタの対応する第一の方向への旋回および第二の方向への旋回を引き起こすように構成されており、
該制御器は、
該第一の駆動シャフトの回転を引き起こすための複数の磁石に関連付けられた第一のホール効果スイッチであって、該複数の磁石は、該第一の回転可能部材の周りに配置されている、第一のホール効果スイッチと、
該第二の駆動シャフトの回転を引き起こすための複数の磁石に関連付けられた第二のホール効果スイッチであって、該複数の磁石は、該第二の回転可能部材の周りに配置されている、第二のホール効果スイッチと
を備える、外科手術用デバイス。
【請求項２】
前記第一の回転可能部材は、回転軸を規定し、前記第二の回転可能部材は、回転軸を規定し、該第二の回転可能部材の該回転軸は、該第一の回転可能部材の該回転軸に対して直交して配向している、請求項１に記載の外科手術用デバイス。
【請求項３】
前記第一の回転可能部材は、回転軸を規定し、該第二の回転可能部材は、回転軸を規定し、該第二の回転可能部材の該回転軸は、該第一の回転可能部材の該回転軸に対して実質的に平行である、請求項１に記載の外科手術用デバイス。
【請求項４】
前記第二の回転可能部材の前記回転軸は、前記第一の回転可能部材の前記回転軸に対して同心状である、請求項３に記載の外科手術用デバイス。
【請求項５】
前記第一の回転可能部材と前記第二の回転可能部材とは、互いの内部に入れ子状である、請求項１に記載の外科手術用デバイス。
【請求項６】
前記エンドエフェクタの回転運動および旋回運動に関連する触知フィードバックおよび可聴フィードバックのうちの少なくとも１つを提供するためのフィードバック機構をさらに備える、請求項１に記載の外科手術用デバイス。
【請求項７】
前記フィードバック機構は、前記第一の回転可能部材および前記第二の回転可能部材の各々に提供された歯と係合する板ばねを備える、請求項６に記載の外科手術用デバイス。
【請求項８】
前記エンドエフェクタは、前記シャフト長手方向軸に対して実質的に直交して延びる旋回軸の周りで単一面内で旋回するように、前記シャフト部分の前記遠位端に旋回可能に接続されている、請求項１に記載の外科手術用デバイス。
【請求項９】
前記エンドエフェクタの回転速度は、前記第一の回転可能部材の回転速度と相応し、該エンドエフェクタの旋回速度は、前記第二の回転可能部材の回転速度と相応する、請求項１に記載の外科手術用デバイス。
【請求項１０】
前記第一の回転可能部材の比較的遅い回転速度は、約１：１の比を有する前記エンドエフェクタの回転速度をもたらし、前記第二の回転可能部材の比較的遅い回転速度は、約１：１の比を有する該エンドエフェクタの旋回速度をもたらし、該第一の回転可能部材の比較的速い回転速度は、該第一の回転可能部材の該比較的速い回転速度よりも大きい該エンドエフェクタの回転速度をもたらし、該第二の回転可能部材の比較的速い回転速度は、該第二の回転可能部材の該比較的速い回転速度よりも大きい該エンドエフェクタの旋回速度をもたらす、請求項９に記載の外科手術用デバイス。
【請求項１１】
前記ハンドルは、
前記シャフト部分を支持している上部分と、
該上部分から延びる中間部分であって、該中間部分は、長手方向軸を規定し、該中間部分の該長手方向軸は、前記シャフト長手方向軸に対して約３０°の角度で配向している、中間部分と
を備える、請求項１に記載の外科手術用デバイス。
【請求項１２】
前記エンドエフェクタは、顎部分を備える、請求項１に記載の外科手術用デバイス。
【請求項１３】
外科手術用デバイスであって、該外科手術用デバイスは、
ピストルグリップの様式で操作者の手によって保持されるように構成されたハンドルと、
該ハンドルから延びるシャフト部分であって、該シャフト部分は、シャフト長手方向軸を規定する、シャフト部分と、
該シャフト部分の遠位端に支持されているエンドエフェクタであって、該エンドエフェクタは、該シャフト部分に対して回転および旋回し得る、エンドエフェクタと、
該ハンドルを保持する該操作者の手の親指によって片手で起動されるように該ハンドルに支持されている制御器と
を備え、
該制御器は、
第一の回転可能部材と、
第二の回転可能部材と
を備え、
該第一の回転可能部材は、第一の方向および第二の方向のうちの一方に回転して、該シャフト部分に対する該エンドエフェクタの対応する第一の方向への回転および第二の方向への回転を引き起こすように構成されており、
該第二の回転可能部材は、第一の方向および第二の方向のうちの一方に回転して、シャフト部分に対する該エンドエフェクタの対応する第一の方向への旋回および第二の方向への旋回を引き起こすように構成されており、
該制御器は、
該第一の駆動シャフトの回転を引き起こすための複数の磁石に関連付けられた第一のホール効果スイッチであって、該複数の磁石は、該第一の回転可能部材の周りに配置されている、第一のホール効果スイッチと、
該第二の駆動シャフトの回転を引き起こすための複数の磁石に関連付けられた第二のホール効果スイッチであって、該複数の磁石は、該第二の回転可能部材の周りに配置されている、第二のホール効果スイッチと
を備える、外科手術用デバイス。
【請求項１４】
前記第一の回転可能部材は、回転軸を規定し、前記第二の回転可能部材は、回転軸を規定し、該第二の回転可能部材の該回転軸は、該第一の回転可能部材の該回転軸に対して直交して配向している、請求項１３に記載の外科手術用デバイス。
【請求項１５】
前記エンドエフェクタは、前記シャフト長手方向軸に対して実質的に直交して延びる旋回軸の周りで単一面内で旋回するように、前記シャフト部分の前記遠位端に旋回可能に接続されている、請求項１３に記載の外科手術用デバイス。
【請求項１６】
前記エンドエフェクタの回転速度は、前記第一の回転可能部材の回転速度と相応し、該エンドエフェクタの旋回速度は、前記第二の回転可能部材の回転速度と相応する、請求項１３に記載の外科手術用デバイス。
【請求項１７】
前記第一の回転可能部材の比較的遅い回転速度は、約１：１の比を有する前記エンドエフェクタの回転速度をもたらし、前記第二の回転可能部材の比較的遅い回転速度は、約１：１の比を有する該エンドエフェクタの旋回速度をもたらし、該第一の回転可能部材の比較的速い回転速度は、該第一の回転可能部材の該比較的速い回転速度よりも大きい該エンドエフェクタの回転速度をもたらし、該第二の回転可能部材の比較的速い回転速度は、該第二の回転可能部材の該比較的速い回転速度よりも大きい該エンドエフェクタの旋回速度をもたらす、請求項１６に記載の外科手術用デバイス。
【発明の詳細な説明】
【技術分野】
【０００１】
（関連出願の引用）
本願は、２０１０年１１月１９日に出願された米国仮特許出願番号６１／４１５，４３０の利益および優先権を主張する。この米国仮特許出願の全内容は、本明細書中に参考として援用される。
【０００２】
（背景）
（技術分野）
本開示は、外科手術用デバイスに関し、そしてより特定すると、キャブ・フォワード（ｃａｂ−ｆｏｒｗａｒｄ）構成を有するハンドルに支持された制御器を有する、電力で回転および／または関節運動する外科手術用デバイスに関する。
【背景技術】
【０００３】
（関連技術の背景）
１つの型の外科手術用デバイスは、直線状にクランプし、切断し、そしてステープル留めするデバイスである。このようなデバイスは、例えば、胃腸管から癌性組織または異常な組織を切除するために、外科手術手順において使用され得る。従来の直線状にクランプし、切断し、そしてステープル留めするデバイスは、細長シャフトおよび遠位部分を有する、ピストルグリップ様式の構造体を備え得る。この遠位部分は、鋏様式の把持要素を備え得る。このデバイスにおいて、この鋏様式の把持要素の一方の部材（例えば、アンビル部分）は、この構造体全体に対して移動または旋回し、一方で、この鋏様式の把持要素の他方の部材は、この構造体全体に対して固定されたままである。この把持要素の起動は、このハンドルの内部または表面に保持されたトリガによって、制御され得る。
【０００４】
この鋏様式の把持要素に加えて、このステープル留めデバイスの遠位部分はまた、ステープル留め機構を備え得る。この把持要素の固定された部材は、ステープルカートリッジ受容領域、およびステープルを上方に駆動して、クランプされた組織に通し、そしてアンビル部分に対して駆動し、これによって、以前には開いていたこの組織の端部を封止するための機構を備え得る。これらの把持要素は、シャフトと一体的に形成され得るか、または種々の把持要素、鋏要素および／もしくはステープル留め要素が交換可能であり得るように、取り外し可能であり得る。
【発明の概要】
【発明が解決しようとする課題】
【０００５】
外科医は、対向する把持要素間に所望の組織を配置する目的で、これらの対向する把持要素を種々の角度の間で動かすことが必要であり得る。従って、クランプし、切断し、そしてステープル留めするデバイスの操作性を改善する必要性が存在する。
【課題を解決するための手段】
【０００６】
上記課題を解決するために、本発明は、例えば、以下を提供する：
（項目１）
外科手術用デバイスであって、
操作者の手によって保持されるように構成されたハンドル；
該ハンドルに結合されたシャフト部分であって、該シャフト部分は、シャフト長手方向軸を規定する、シャフト部分；
該シャフト部分に対して回転および旋回するように該シャフト部分の遠位端に支持されているエンドエフェクタ；
該シャフト部分を通って延びる第一の駆動シャフトであって、該シャフト部分の該シャフト長手方向軸の周りでの該エンドエフェクタの回転を引き起こすように該エンドエフェクタに作動可能に接続されている、第一の駆動シャフト；
該シャフト部分を通って延びる第二の駆動シャフトであって、該シャフト部分の該シャフト長手方向軸に対する該エンドエフェクタの旋回を引き起こすように該エンドエフェクタに作動可能に接続されている、第二の駆動シャフト；ならびに
該ハンドルを保持する該操作者の手の親指によって起動されるように該ハンドルに支持されている制御器であって、該制御器は、
第一の回転可能部材；および
第二の回転可能部材；
を備える、制御器、
を備え、
該第一の回転可能部材は、該第一の回転可能部材の第一の方向および第二の方向への回転の際に、対応して、該第一の駆動シャフトを第一の方向および第二の方向のうちの一方に回転させて、該シャフト部分に対する該エンドエフェクタの対応する第一の方向への回転および第二の方向への回転を引き起こすように構成されており；そして
該第二の回転可能部材は、該第二の回転可能部材の第一の方向および第二の方向への回転の際に、対応して、該第二の駆動シャフトを第一の方向および第二の方向のうちの一方に回転させて、シャフト部分に対する該エンドエフェクタの対応する第一の方向への旋回および第二の方向への旋回を引き起こすように構成されている、
外科手術用デバイス。
（項目２）
前記第一の回転可能部材が回転軸を規定し、そして前記第二の回転可能部材が回転軸を規定し、ここで該第二の回転可能部材の該回転軸が、該第一の回転可能部材の該回転軸に対して直交して配向している、上記項目に記載の外科手術用デバイス。
（項目３）
前記第一の回転可能部材が回転軸を規定し、そして該第二の回転可能部材が回転軸を規定し、ここで該第二の回転可能部材の該回転軸が、該第一の回転可能部材の該回転軸に対して実質的に平行である、上記項目のいずれか一項に記載の外科手術用デバイス。
（項目４）
前記第二の回転可能部材の前記回転軸が、前記第一の回転可能部材の前記回転軸に対して同心状である、上記項目のいずれか一項に記載の外科手術用デバイス。
（項目５）
前記第一の回転可能部材と前記第二の回転可能部材とが、互いの内部に入れ子状である、上記項目のいずれか一項に記載の外科手術用デバイス。
（項目６）
前記制御器が、
前記第一の駆動シャフトの回転を引き起こすための、前記第一の回転可能部材に関連する第一のホール効果スイッチ；および
前記第二の駆動シャフトの回転を引き起こすための、前記第二の回転可能部材に関連する第二のホール効果スイッチ、
を備える、上記項目のいずれか一項に記載の外科手術用デバイス。
（項目７）
前記エンドエフェクタの前記回転運動および前記旋回運動に関する触知フィードバックおよび可聴フィードバックのうちの少なくとも１つを提供するためのフィードバック機構をさらに備える、上記項目のいずれか一項に記載の外科手術用デバイス。
（項目８）
前記フィードバック機構が、前記第一の回転可能部材および前記第二の回転可能部材の各々に提供された歯と係合する板ばねを備える、上記項目のいずれか一項に記載の外科手術用デバイス。
（項目９）
前記エンドエフェクタが、前記シャフト長手方向軸に対して実質的に直交して延びる旋回軸の周りで単一面内で旋回するように、前記シャフト部分の前記遠位端に旋回可能に接続されている、上記項目のいずれか一項に記載の外科手術用デバイス。
（項目１０）
前記エンドエフェクタの回転速度は、前記第一の回転可能部材の回転速度と相応し、そして該エンドエフェクタの旋回速度は、前記第二の回転可能部材の回転速度と相応する、上記項目のいずれか一項に記載の外科手術用デバイス。
（項目１１）
前記第一の回転可能部材の比較的遅い回転速度は、約１：１の比を有する前記エンドエフェクタの回転速度をもたらし；前記第二の回転可能部材の比較的遅い回転速度は、約１：１の比を有する該エンドエフェクタの旋回速度をもたらし；該第一の回転可能部材の比較的速い回転速度は、１：１より大きい比を有する該エンドエフェクタの回転速度をもたらし；該第二の回転可能部材の比較的速い回転速度は、１：１より大きい比を有する該エンドエフェクタの旋回速度をもたらす、上記項目のいずれか一項に記載の外科手術用デバイス。
（項目１２）
前記ハンドルが、
前記シャフト部分を支持している上部分；および
該上部分から延びる中間部分であって、該中間部分は、長手方向軸を規定し、そして該中間部分の該長手方向軸は、前記シャフト長手方向軸に対して約３０°の角度で配向している、中間部分、
を備える、上記項目のいずれか一項に記載の外科手術用デバイス。
（項目１３）
前記エンドエフェクタが顎部分を備える、上記項目のいずれか一項に記載の外科手術用デバイス。
（項目１４）
外科手術用デバイスであって、
ピストルグリップの様式で操作者の手によって保持されるように構成されたハンドル；
該ハンドルから延びるシャフト部分であって、該シャフト部分は、シャフト長手方向軸を規定する、シャフト部分；
該シャフト部分の遠位端に支持されているエンドエフェクタであって、該エンドエフェクタは、該シャフト部分に対して回転および旋回し得る、エンドエフェクタ；ならびに
該ハンドルを保持する該操作者の手の親指によって片手で起動されるように該ハンドルに支持されている制御器であって、該制御器は、
第一の回転可能部材；および
第二の回転可能部材；
を備える、制御器、
を備え、
該第一の回転可能部材は、第一の方向および第二の方向のうちの一方に回転して、該シャフト部分に対する該エンドエフェクタの対応する第一の方向への回転および第二の方向への回転を引き起こすように構成されており；そして
該第二の回転可能部材は、第一の方向および第二の方向のうちの一方に回転して、シャフト部分に対する該エンドエフェクタの対応する第一の方向への旋回および第二の方向への旋回を引き起こすように構成されている、
外科手術用デバイス。
（項目１５）
前記第一の回転可能部材が回転軸を規定し、そして前記第二の回転可能部材が回転軸を規定し、ここで該第二の回転可能部材の該回転軸が、該第一の回転可能部材の該回転軸に対して直交して配向している、上記項目のいずれか一項に記載の外科手術用デバイス。
（項目１６）
前記制御器が、
前記エンドエフェクタの回転を引き起こすための、前記第一の回転可能部材に関連する第一のホール効果スイッチ；および
前記エンドエフェクタの回転を引き起こすための、前記第二の回転可能部材に関連する第二のホール効果スイッチ、
を備える、上記項目のいずれか一項に記載の外科手術用デバイス。
（項目１７）
前記エンドエフェクタが、前記シャフト長手方向軸に対して実質的に直交して延びる旋回軸の周りで単一面内で旋回するように、前記シャフト部分の前記遠位端に旋回可能に接続されている、上記項目のいずれか一項に記載の外科手術用デバイス。
（項目１８）
前記エンドエフェクタの回転速度は、前記第一の回転可能部材の回転速度と相応し、そして該エンドエフェクタの旋回速度は、前記第二の回転可能部材の回転速度と相応する、上記項目のいずれか一項に記載の外科手術用デバイス。
（項目１９）
前記第一の回転可能部材の比較的遅い回転速度は、約１：１の比を有する前記エンドエフェクタの回転速度をもたらし；前記第二の回転可能部材の比較的遅い回転速度は、約１：１の比を有する該エンドエフェクタの旋回速度をもたらし；該第一の回転可能部材の比較的速い回転速度は、１：１より大きい比を有する該エンドエフェクタの回転速度をもたらし；該第二の回転可能部材の比較的速い回転速度は、１：１より大きい比を有する該エンドエフェクタの旋回速度をもたらす、上記項目のいずれか一項に記載の外科手術用デバイス。
（項目２０）
外科手術用デバイスを操作する方法であって、該方法は、
外科手術用デバイスを提供する工程であって、該外科手術用デバイスは、
ピストルグリップの様式で操作者の手によって保持されるように構成されたハンドル；
該ハンドルから延びるシャフト部分であって、該シャフト部分は、シャフト長手方向軸を規定する、シャフト部分；
該シャフト部分の遠位端に支持されているエンドエフェクタであって、該エンドエフェクタは、該シャフト部分に対して回転および旋回し得る、エンドエフェクタ；ならびに
該ハンドルを保持する該操作者の手の親指によって片手で起動されるように該ハンドルに支持されている制御器であって、該制御器は、
第一の回転可能部材；および
第二の回転可能部材；
を備える、制御器、
を備え、
該第一の回転可能部材は、第一の方向および第二の方向のうちの一方に回転して、該シャフト部分に対する該エンドエフェクタの対応する第一の方向への回転および第二の方向への回転を引き起こすように構成されており；そして
該第二の回転可能部材は、第一の方向および第二の方向のうちの一方に回転して、シャフト部分に対する該エンドエフェクタの対応する第一の方向への旋回および第二の方向への旋回を引き起こすように構成されている、
工程；ならびに
該第一の回転可能部材を回転させて、該シャフト部分に対する該エンドエフェクタの回転を引き起こす工程；または
該第二の回転可能部材を回転させて、該シャフト部分に対する該エンドエフェクタの旋回を引き起こす工程、
のうちの少なくとも一方を行う工程、
を包含する、方法。
【０００７】
（摘要）
外科手術用デバイスは、ハンドルに結合されたシャフト部分を備え、このハンドルは、長手方向軸を規定する。この外科手術用デバイスはまた、第一の駆動シャフトを介して回転運動を起動するように構成された第一のドライバ、および第二の駆動シャフトを介して関節運動を起動するように構成された第二のドライバを備える。この外科手術用デバイスはまた、第一のダイヤルおよび第二のダイヤルを有する制御器を備え、この第一のダイヤルは、この第一のドライバを起動させるように構成され、そしてこの第二のダイヤルは、この第二のドライバを起動させるように構成される。この第二のダイヤルは、この第一のダイヤルの内部に配置される。
【０００８】
（要旨）
本開示は、キャブ・フォワード構成を有するハンドルに支持された制御器を有する、電力で回転および／または関節運動する外科手術用デバイスに関する。
【０００９】
本開示の１つの局面によれば、外科手術用デバイスが提供され、この外科手術用デバイスは、操作者の手によって保持されるように構成されたハンドル；このハンドルに結合されたシャフト部分であって、このシャフト部分は、シャフト長手方向軸を規定する、シャフト部分；このシャフト部分に対して回転および旋回するように、このシャフト部分の遠位端に支持されているエンドエフェクタ；このシャフト部分を通って延びる第一の駆動シャフトであって、このシャフト部分のシャフト長手方向軸の周りでのこのエンドエフェクタの回転を引き起こすように、このエンドエフェクタに作動可能に接続されている第一の駆動シャフト；このシャフト部分を通って延びる第二の駆動シャフトであって、このシャフト部分のシャフト長手方向軸に対するこのエンドエフェクタの旋回を引き起こすようにこのエンドエフェクタに作動可能に接続されている、第二の駆動シャフト；ならびにこのハンドルを保持する操作者の手の親指によって起動されるように、このハンドルに支持されている制御器を備える。この制御器は、第一の回転可能部材；および第二の回転可能部材を備える。この第一の回転可能部材は、この第一の回転可能部材の第一の方向および第二の方向への回転の際に、対応して、この第一の駆動シャフトを第一の方向および第二の方向のうちの一方に回転させて、このシャフト部分に対するこのエンドエフェクタの対応する第一の方向への回転および第二の方向への回転を引き起こすように構成されている。この第二の回転可能部材は、この第二の回転可能部材の第一の方向および第二の方向への回転の際に、対応して、この第二の駆動シャフトを第一の方向および第二の方向のうちの一方に回転させて、このシャフト部分に対するこのエンドエフェクタの対応する第一の方向への旋回および第二の方向への旋回を引き起こすように構成されている。
【００１０】
この第一の回転可能部材は、回転軸を規定し得、そしてこの第二の回転可能部材は、回転軸を規定し得、この第二の回転可能部材の回転軸は、この第一の回転可能部材の回転軸に対して直交して配向し得る。
【００１１】
この第一の回転可能部材は、回転軸を規定し得、そしてこの第二の回転可能部材は、回転軸を規定し得、そしてこの第二の回転可能部材の回転軸は、この第一の回転可能部材の回転軸に対して実質的に平行であり得る。
【００１２】
この第二の回転可能部材の回転軸は、この第一の回転可能部材の回転軸に対して同心状であり得る。
【００１３】
この第一の回転可能部材とこの第二の回転可能部材とは、互いの内部に入れ子状であり得る。
【００１４】
この制御器は、第一の駆動シャフトの回転を引き起こすための、第一の回転可能部材に関連する第一のホール効果スイッチ；および第二の駆動シャフトの回転を引き起こすための、第二の回転可能部材に関連する第二のホール効果スイッチを備え得る。
【００１５】
この外科手術用デバイスは、エンドエフェクタの回転運動および旋回運動に関連する、触知フィードバックおよび可聴フィードバックのうちの少なくとも１つを提供するためのフィードバック機構をさらに備え得る。このフィードバック機構は、第一の回転可能部材および第二の回転可能部材の各々に提供された歯と係合する、板ばねを備え得る。
【００１６】
このエンドエフェクタは、シャフト長手方向軸に対して実質的に直交して延びる旋回軸の周りで単一面内で旋回するように、シャフト部分の遠位端に旋回可能に接続され得る。
【００１７】
本開示の１つの局面によれば、エンドエフェクタの回転速度は、第一の回転可能部材の回転速度と相応し（ｃｏｍｍｅｎｓｕｒａｔｅ）得、そしてエンドエフェクタの旋回速度は、第二の回転可能部材の回転速度と相応し得る。第一の回転可能部材の比較的遅い回転速度は、約１：１の比を有するエンドエフェクタの回転速度をもたらし得る。第二の回転可能部材の比較的遅い回転速度は、約１：１の比を有するエンドエフェクタの旋回速度をもたらし得る。第一の回転可能部材の比較的速い回転速度は、１：１より大きい比を有するエンドエフェクタの回転速度をもたらし得る。第二の回転可能部材の比較的速い回転速度は、１：１より大きい比を有するエンドエフェクタの旋回速度をもたらし得る。
【００１８】
ハンドルは、シャフト部分を支持する上部分；およびこの上部分から延びる中間部分を備え得、この中間部分は、長手方向軸を規定し得、そしてこの中間部分の長手方向軸は、このシャフト長手方向軸に対して約３０°の角度で配向し得る。
【００１９】
このエンドエフェクタは、顎部分を備え得る。
【００２０】
本開示のさらなる局面によれば、外科手術用デバイスが提供され、この外科手術用デバイスは、ピストルグリップの様式で操作者の手によって保持されるように構成されたハンドル；このハンドルから延びるシャフト部分であって、このシャフト部分は、シャフト長手方向軸を規定する、シャフト部分；このシャフト部分の遠位端に支持されたエンドエフェクタであって、このエンドエフェクタは、このシャフト部分に対して回転および旋回し得る、エンドエフェクタ；ならびにこのハンドルを保持する操作者の手の親指によって片手で起動されるようにこのハンドルに支持された制御器を備える。この制御器は、第一の回転可能部材；および第二の回転可能部材を備える。この第一の回転可能部材は、第一の方向および第二の方向のうちの一方に回転して、このシャフト部分に対するこのエンドエフェクタの対応する第一の方向への回転および第二の方向への回転を引き起こすように構成される。この第二の回転可能部材は、第一の方向および第二の方向のうちの一方に回転して、このシャフト部分に対するこのエンドエフェクタの対応する第一の方向への旋回および第二の方向への旋回を引き起こすように構成される。
【００２１】
この第一の回転可能部材は、回転軸を規定し得、そしてこの第二の回転可能部材は、回転軸を規定し得る。この第二の回転可能部材の回転軸は、この第一の回転可能部材の回転軸に対して直交して配向し得る。
【００２２】
この制御器は、エンドエフェクタの回転を引き起こすための、第一の回転可能部材に関連する第一のホール効果スイッチ；およびエンドエフェクタの回転を引き起こすための、第二の回転可能部材に関連する第二のホール効果スイッチを備え得る。
【００２３】
このエンドエフェクタは、シャフト長手方向軸に対して実質的に直交して延びる旋回軸の周りで単一面内で旋回するように、シャフト部分の遠位端に旋回可能に接続され得る。
【００２４】
エンドエフェクタの回転速度は、第一の回転可能部材の回転速度と相応し得ることが想定される。エンドエフェクタの旋回速度は、第二の回転可能部材の回転速度と相応し得る。従って、この第一の回転可能部材の比較的遅い回転速度は、約１：１の比を有するエンドエフェクタの回転速度をもたらし得る。この第二の回転可能部材の比較的遅い回転速度は、約１：１の比を有するエンドエフェクタの旋回速度をもたらし得る。この第一の回転可能部材の比較的速い回転速度は、１：１より大きい比を有するエンドエフェクタの回転速度をもたらし得る。この第二の回転可能部材の比較的速い回転速度は、１：１より大きい比を有するエンドエフェクタの旋回速度をもたらし得る。
【００２５】
本開示の別の局面によれば、外科手術用デバイスを操作する方法が提供される。この方法は、外科手術用デバイスを提供する工程を包含し、この外科手術用デバイスは、ピストルグリップの様式で操作者の手によって保持されるように構成されたハンドル；このハンドルから延びるシャフト部分であって、このシャフト部分は、シャフト長手方向軸を規定する、シャフト部分；このシャフト部分の遠位端に支持されたエンドエフェクタであって、このエンドエフェクタは、このシャフト部分に対して回転および旋回し得る、エンドエフェクタ；ならびにこのハンドルを保持する操作者の手の親指によって片手で起動されるようにこのハンドルに支持された制御器を備える。この制御器は、第一の回転可能部材；および第二の回転可能部材を備える。この第一の回転可能部材は、第一の方向および第二の方向のうちの一方に回転して、このシャフト部分に対するこのエンドエフェクタの対応する第一の方向への回転および第二の方向への回転を引き起こすように構成される。この第二の回転可能部材は、第一の方向および第二の方向のうちの一方に回転して、このシャフト部分に対するこのエンドエフェクタの対応する第一の方向への旋回および第二の方向への旋回を引き起こすように構成される。この方法は、第一の回転可能部材を回転させて、シャフト部分に対するエンドエフェクタの回転を引き起こす工程；および第二の回転可能部材を回転させて、シャフト部分に対するエンドエフェクタの旋回を引き起こす工程、のうちの少なくとも一方を行う工程をさらに包含する。
【００２６】
本開示の１つの局面によれば、外科手術用デバイスが提供され、この外科手術用デバイスは、ハンドルに結合されたシャフト部分であって、このシャフト部分は、長手方向軸を規定する、シャフト部分；第一の駆動シャフトを介して回転運動を起動するように構成された第一のドライバ；第二の駆動シャフトを介して関節運動を起動するように構成された第二のドライバ；ならびに第一のダイヤルおよび第二のダイヤルを有する制御器を備える。この第一のダイヤルは、この第一のドライバを起動させるように構成され、そしてこの第二のダイヤルは、この第二のドライバを起動させるように構成される。この第二のダイヤルは、この第一のダイヤルの内部に配置される。
【００２７】
この第二のダイヤルは、この第一のダイヤルに対して垂直に配向し得る。この第一のダイヤルとこの第二のダイヤルは、同時に作動可能であり得る。
【００２８】
この外科手術用デバイスは、回転運動を引き起こすための第一のホール効果スイッチ、および関節運動を引き起こすための第二のホール効果スイッチをさらに備え得る。
【００２９】
この外科手術用デバイスは、使用者により起動される回転運動および関節運動に関するフィードバックを提供するための、フィードバック機構をさらに備え得る。このフィードバック機構は、第一のダイヤルおよび第二のダイヤルのうちの少なくとも一方と接触する板ばねを備え得る。
【００３０】
本開示の別の局面によれば、外科手術用デバイスを操作する方法が提供される。この方法は、外科手術用デバイスを提供する工程を包含し、この外科手術用デバイスは、エンドエフェクタとハンドルとを相互接続するシャフト部分であって、このシャフトは、長手方向軸を規定する、シャフト部分；第一の駆動シャフトを介する回転運動を起動するように構成された第一のドライバ；第二の駆動シャフトを介する関節運動を起動するように構成された第二のドライバ；ならびに第一のダイヤルおよび第二のダイヤルを有する制御器を備える。この第一のダイヤルは、この第一のドライバを起動するように構成され、そしてこの第二のダイヤルは、この第二のドライバを起動するように構成される。この第二のダイヤルは、この第一のダイヤルの内部に配置される。この方法は、第一のダイヤルを回転させて、シャフトに対するエンドエフェクタの回転を引き起こす工程；および／または第二のダイヤルを回転させて、シャフトに対するエンドエフェクタの関節運動を引き起こす工程をさらに包含する。
【００３１】
本開示のさらなる局面によれば、外科手術用デバイスが提供され、この外科手術用デバイスは、ハンドル；このハンドルから延びるシャフト部分であって、このシャフトは、長手方向軸を規定する、シャフト部分；このシャフト部分の遠位端に支持されたエンドエフェクタ；第一のドライバであって、第一の駆動シャフトを介してシャフトに対するエンドエフェクタの回転を引き起こすように構成されている、第一のドライバ；第二のドライバであって、第二の駆動シャフトを介してシャフトに対するエンドエフェクタの関節運動を引き起こすように構成されている、第二のドライバ；ならびにこのハンドルに支持された制御器であって、この制御器は、第一のダイヤル、およびこの第一のダイヤルの内部に配置された第二のダイヤルを有する、制御器を備える。この第一のダイヤルは、この第一のダイヤルの回転の際に、第一のドライバを起動させて、シャフトに対するエンドエフェクタの回転を引き起こすように構成される。この第二のダイヤルは、第二のドライバを起動させて、第二の駆動シャフトを介する、シャフトに対するエンドエフェクタの関節運動を起動させるように構成される。
【００３２】
この第二のダイヤルは、この第一のダイヤルに対して垂直に配向し得る。
【００３３】
この外科手術用デバイスは、この第一のダイヤルに関連する第一のホール効果スイッチ、およびこの第二のダイヤルに関連する第二のホール効果スイッチをさらに備え得る。
【００３４】
この外科手術用デバイスは、第一のダイヤルおよび第二のダイヤルの各々に関連するフィードバック機構をさらに備え得る。このフィードバック機構は、エンドエフェクタに伝達される回転および関節運動に関するフィードバックを提供するためのものである。このフィードバック機構は、この第一のダイヤルおよびこの第二のダイヤルの各々に接触する板ばねを備え得る。
【００３５】
この外科手術用デバイスは、第一のダイヤルの回転がシャフトに対するエンドエフェクタの回転を引き起こし；そして第二のダイヤルの回転がシャフトに対するエンドエフェクタの関節運動を引き起こすように、構成され得る。
【００３６】
第一のダイヤルの第一の方向への回転は、エンドエフェクタの第一の方向への回転を引き起こし得、そして第一のダイヤルの第二の方向への回転は、エンドエフェクタの第二の方向への回転を引き起こし得る。
【００３７】
第二のダイヤルの第一の方向への回転は、エンドエフェクタの第一の方向への関節運動を引き起こし得、そして第二のダイヤルの第二の方向への回転は、エンドエフェクタの第二の方向への関節運動を引き起こし得る。
【００３８】
このハンドルは、キャブ・フォワード構成を有し得る。
【００３９】
本開示の外科手術用器具の種々の実施形態が、図面を参照しながら本明細書中で以下に記載される。
【発明の効果】
【００４０】
本発明は、クランプし、切断し、そしてステープル留めするデバイスの操作性を改善することを提供する。
【図面の簡単な説明】
【００４１】
【図１Ａ】図１Ａは、本開示に従う、制御器を有する外科手術用デバイスの斜視図である。
【図１Ｂ】図１Ｂは、図１Ａの外科手術用デバイスの概略側面立面図である。
【図２】図２は、本開示に従う制御器の斜視図である。
【図３Ａ】図３Ａは、本開示に従う制御器の分解斜視図である。
【図３Ｂ】図３Ｂは、本開示に従う制御器の分解斜視図である。
【図４】図４は、本開示に従う、制御器を組み込むキャブ・フォワード様式の外科手術用デバイスの斜視背面図である。
【発明を実施するための形態】
【００４２】
（実施形態の詳細な説明）
図面および以下の説明において、同じ参照番号は、類似の要素または同一の要素を確認する役に立ち、慣習的であるように、用語「近位」とは、装置の使用中に操作者に最も近い端部をいい、一方で、用語「遠位」とは、操作者から最も遠い端部をいう。
【００４３】
図１Ａおよび図１Ｂを参照すると、本開示に従う制御器を有する外科手術用デバイスの斜視図が与えられている。
【００４４】
図１Ａおよび図１Ｂにおいて、外科手術用デバイス８００が示されており、この外科手術用デバイスは、独立型であるように構成され得、例えば、この外科手術用デバイスは、種々のモータ、駆動シャフト、制御システムなどを一体的な配置で備え、その結果、別の電気機械的外科手術システムの取り付けが排除され得る。このような配置は、外科手術用デバイス８００が使用前に、別に配置される駆動システムに接続されなくてよいという利点を有し得る。外科手術用デバイス８００は、例えばカニューレ（図示せず）を介して、患者の身体内に挿入するために特によく適するように、構成され得る。外科手術用デバイス８００は、クランプし、切断し、そしてステープル留めするデバイスであり得る。
【００４５】
外科手術用デバイス８００は、エンドエフェクタまたは顎部分８１１ａを備え得、このエンドエフェクタまたは顎部分は、ヒンジ部分８１１ｃによって、シャフト部分８１１ｂに旋回可能に結合され得る。図１Ａおよび図１Ｂに見られるように、シャフト部分８１１ｂは、長手方向軸「Ｄ」を規定する。顎部分８１１ａは、遠位端および近位端を有する第一の顎８５０、ならびに遠位端および近位端を有する第二の顎８８０を備え得る。第一の顎８５０および第二の顎８８０は、それぞれの近位端またはその近くで、互いに対して旋回可能に結合され得る。図１Ａおよび図１Ｂに示されるように、第一の顎８５０および第二の顎８８０は、旋回軸「Ａ」の周りで互いに対して旋回可能であり得る。この配置において、これらの顎は、第一の顎８５０が第二の顎８８０に対して開閉する際、および第一の顎８５０が第二の顎８８０に対して動く地点で、第一の顎８５０と第二の顎８８０との両方（例えば、これらの長手方向軸）が面内にあるままになるように、構成され得る。しかし、外科手術用デバイス８００は、その代わりに、第一の顎８５０と第二の顎８８０とが、図１Ａおよび図１Ｂに示される配向とは異なる配向であり得る旋回軸の周りで、互いに対して旋回し得るように構成されてもよいことが理解されるべきである。
【００４６】
上記のように、顎部分８１１ａは、シャフト部分８１１ｂにヒンジ部分８１１ｃによって旋回可能に結合され得る。具体的には、顎部分８１１ａは、シャフト部分８１１ｂに対して、旋回軸「Ｂ」の周りで旋回可能であり得る。この旋回軸は、顎部分８１１ａ上およびシャフト部分８１１ｂ上の任意の位置、または顎部分８１１ａとシャフト部分８１１ｂとの間の任意の位置に配置され得、そして顎部分８１１ａおよびシャフト部分８１１ｂに対する任意の周囲位置で配置され得る。示される例示的実施形態において、旋回軸Ｂは、垂直に配向し得、紙面内にあり得る。この配置において、顎部分８１１ａおよびシャフト部分８１１ｂは、シャフト部分８１１ｂに対する顎部分８１１ａの関節運動の際、およびシャフト部分８１１ｂに対する顎部分８１１ａの移動の任意の地点で、顎部分８１１ａおよびシャフト部分８１１ｂが、旋回軸「Ｂ」に対して垂直であり得る面内にあるままになるように、構成され得る。他の例示的実施形態において、旋回軸「Ｂ」は、異なる配向を有し得、これによって、顎部分８１１ａが異なる面内で旋回することを可能にし得ることが、認識されるべきである。顎部分８１１ａは、シャフト部分８１１ｂに対する任意の角度へ、そして任意の角度の間で旋回可能であり得、その結果、顎部分８１１ａは、使用中に望ましいように選択的に配置され得る。
【００４７】
さらに、外科手術用デバイス８００は、外科手術用デバイス８００の長手方向軸の周りでの、種々の構成要素の回転を提供し得る。例えば、種々の実施形態において、顎部分８１１ａおよび／またはシャフト部分８１１ｂは、ハンドル８１０３（以下により詳細に記載される）に対して回転可能であり得る。ハンドル８１０３は、シャフト部分８１１ｂの近位端に取り付けられ、そして長手方向軸「Ｄ」に沿って回転可能であり得る。シャフト部分８１１ｂは、顎部分８１１ａが接続される遠位部分８１０１ａ、およびハンドル８１０３に接続される近位部分８１０１ｂを規定する。
【００４８】
一般に、ハンドル８１０３は、外科手術用デバイス８００を操作するために、操作者によって把持され得る。ハンドル８１０３は、近位部分またはベース部分８１０２、中間部分８１０４、および遠位部分または上部分８１０５を備える。この中間部分８１０４は、ベース部分８１０２から延び、そして指で起動される数個の制御ボタン８１０７、８１０８を備え得る。この遠位部分または上部分８１０５は、シャフト部分８１１ｂに接続される。
【００４９】
米国特許出願公開第２００９／０１０１６９２号（その全内容は、本明細書中に参考として援用される）が、顎部分８１１ａおよび外科手術用デバイス８００の構成および操作のより詳細な議論について、参照され得る。
【００５０】
本開示に従って、ハンドル８１０３は、改善された人間工学を提供し、そして操作者に対する快適さを増加させるように、設計および構成される。この点に関して、ハンドル８１０３の中間部分８１０４は、シャフト部分８１１ｂにより規定される長手方向軸「Ｄ」からある角度で延びる、長手方向軸「Ｃ」を規定し得る。具体的には、図１Ｂに見られるように、ハンドル８１０３の中間部分８１０４の長手方向軸「Ｃ」は、シャフト部分８１１ｂにより規定される長手方向軸「Ｄ」に対して約３０°の傾斜の角度を規定する。
【００５１】
図１Ａおよび図１Ｂはまた、制御器２０００を図示する。この制御器は、図２〜図４を参照しながら以下により詳細に記載される。制御器２０００は、シャフト部分８１１ｂに対する顎部分８１１ａの旋回を引き起こすように、そしてシャフト部分８１１ｂに対する、またはシャフト部分８１１ｂのハンドル８１０３に対する、顎部分８１１ａの長手方向軸「Ｄ」の周りでの回転を引き起こすように、機能する。
【００５２】
制御器２０００は、第一の回転可能部材２１００（ホイールまたはダイヤルの形態）および第二の回転可能部材２２００（ホイールまたはダイヤルの形態）を備え得る。第一の回転可能部材２１００は、第二の回転可能部材２２００と連絡して作動可能であり得、そして両方が、ハウジング２３００内に支持され得る。第一の回転可能部材２１００は、外科手術用デバイス８００の１つ以上の構成要素の回転運動を制御するために使用され得、一方で、第二の回転可能部材２２００は、外科手術用デバイス８００の１つ以上の構成要素の長手軸方向運動／関節運動／旋回運動を制御するために使用され得る。例えば、第一の回転可能部材２１００は、顎部分８１１ａを旋回軸「Ｂ」の周りで旋回させるために使用され得、一方で、第二の回転可能部材２２００は、顎部分８１１ａを長手方向軸「Ｄ」の周りで旋回させるために使用され得る。従って、外科手術用デバイス８００の制御器２０００は、回転／関節運動／旋回の制御器として働き得る。
【００５３】
一例の実施形態において、制御器２０００は、二重のホイール／ダイヤル構成であり得、例えば、ハンドル８１０３の上表面または後表面に適切に配置され得、そして操作者がハンドル８１０３をピストルグリップの様式で保持する場合に、この操作者の親指によって起動可能であるようなサイズにされ得る。上で議論されたように、ハンドル８１０３は、制御器２０００がハンドル８１０３の上部分８１０５の後表面に位置する場合に、操作者により快適な人間工学を提供するような設計および構成にされ得ることが想定される。ある実施形態において、制御器２０００は、シャフト部分８１１ｂの長手方向軸「Ｄ」と整列するようにハンドル８１０３に配置されることが想定される。図３Ａおよび図３Ｂに見られるように、第一の回転可能部材２１００は、シャフト部分８１１ｂにより規定される長手方向軸「Ｄ」に対して実質的に平行であるか、または鋭角で角度を付けた、回転軸「Ｅ」を規定する。さらに、図３Ａおよび図３Ｂに見られるように、第二の回転可能部材２２００は、第一の回転可能部材２１００の回転軸「Ｅ」に対して実質的に直交する回転軸「Ｆ」を規定する。第一の回転可能部材２１００の回転軸「Ｅ」と第二の回転可能部材２２００の回転軸「Ｆ」とが互いに交差することがさらに想定される。
【００５４】
二重ダイヤル機構が制御器２０００について示されるが、当業者は、複数の様々な形状およびサイズを有し、そして外科手術用デバイス８００の任意の部分で複数の構成および配向で相互接続された、複数の異なるダイヤルを備える制御器を想定し得る。例えば、１つの実施形態において、制御器２０００は、各ダイヤルが回転軸を規定し、これらの回転軸が互いに対して実質的に平行である、少なくとも１対のダイヤルを備え得る。別の実施形態において、制御器２０００は、共通の回転軸を共有する少なくとも１対の同心状ダイヤルを備え得る。制御器２０００は、任意の軸で回転するように、ハンドル８１０３に支持されたボールを備えてもよいことがさらに想定される。本開示の別の実施形態によれば、第一の回転可能部材２１００と第二の回転可能部材２２００とは、互いの内部に入れ子状である。
【００５５】
使用において、第一の回転可能部材２１００の時計回り方向への回転は、ハンドル８１０３に対する顎部分８１１ａの時計回り方向への回転を引き起こし得、一方で、第一の回転可能部材２１００の反時計回り方向への回転は、ハンドル８１０３に対する顎部分８１１ａの反時計回り方向への回転を引き起こし得る。同様に、第二の回転可能部材２２００の時計回り方向への回転は、ハンドル８１０３に対する顎部分８１１ａの第一の方向への旋回を引き起こし得、一方で、第二の回転可能部材２２００の反時計回り方向への回転は、ハンドル８１０３に対する顎部分８１１ａの第二の方向への旋回を引き起こし得、ここで第二の方向は、第一の方向の逆である。
【００５６】
本開示に従って、第一の回転可能部材２１００が使用者または操作者によって回転させられる速度は、顎部分８１１ａの回転速度を制御し得、一方で、第二の回転可能部材２２００が使用者または操作者によって回転させられる速度は、顎部分８１１ａの旋回速度を制御し得ることが想定される。第一の回転可能部材２１００の少しずつの回転は、顎部分８１１ａの少しずつの回転をもたらし、そして第二の回転可能部材２２００の少しずつの回転は、顎部分８１１ａの少しずつの回転をもたらすことがさらに想定される。換言すれば、顎部分８１１ａの回転速度は、第一の回転可能部材２１００の回転速度と相応し、そして顎部分８１１ａの旋回速度は、第二の回転可能部材２２００の回転速度と相応する。この様式で、操作者が第一の回転可能部材２１００および／または第二の回転可能部材２２００をゆっくりと回転させる場合、顎部分８１１ａは、ゆっくりと回転および／または旋回し、そして操作者が第一の回転可能部材２１００および／または第二の回転可能部材２２００を速く回転させる場合、顎部分８１１ａは、速く回転および／または旋回する。
【００５７】
第一の回転可能部材２１００および／または第二の回転可能部材２２００が操作者により回転させられる速度は、顎部分８１１ａの回転および／または旋回の角度を変化または決定することがさらに想定される。例えば、操作者が第一の回転可能部材２１００および／または第二の回転可能部材２２００をゆっくりと回転させる場合、顎部分８１１ａは、選択された第一の速度（例えば、およそ１：１の比）で回転および／または旋回する。しかし、操作者が第一の回転可能部材２１００および／または第二の回転可能部材２２００を速く回転させる場合、顎部分８１１ａは、第一の速度より速い、選択された第二の速度（例えば、およそ２：１もしくは３：１の比、または１：１より大きい任意の望ましい比）で回転および／または旋回する。
【００５８】
図３Ａおよび図３Ｂを参照すると、本開示に従う図２の制御器２０００の分解斜視図が与えられている。
【００５９】
図３Ａおよび図３Ｂに見られるように、制御器２０００は、第一の回転可能部材２１００を備え、この第一の回転可能部材は、複数の磁石２１２０を支持する回転ホイール２１１０の形態である。複数の磁石２１２０は、回転ホイール２１１０の周でＮ極とＳ極を交互にして、回転ホイール２１１０内／上に支持され得る。制御器２０００の第一の回転可能部材２１００は、支持ハウジング２３００またはその周りに回転可能に支持され、そして回転軸「Ｅ」を規定する。
【００６０】
制御器２０００は、第二の回転可能部材２２００をさらに備え、この第二の回転可能部材は、複数の磁石２２２０を支持する回転ホイール２２１０の形態である。複数の磁石２２２０は、回転ホイール２２１０の周でＮ極とＳ極とを交互にして、回転ホイール２２１０内／上に支持され得る。回転ホイール２２１０は、支持ハウジング２３００内／上に回転可能に支持され、そして回転軸「Ｆ」を規定する。制御器２０００は、回転ホイール２１１０および２２１０と作動可能に関連する、ベース部材２４００をさらに備える。
【００６１】
ベース部材２４００は、複数のホール効果スイッチを支持する。具体的には、ベース部材２４００は、第一のホール効果スイッチ２１３０が回転ホイール２１１０の複数の磁石２１２０と磁気的に位置合わせされるように、第一のホール効果スイッチ２１３０を支持する。ベース部材２４００はまた、第二のホール効果スイッチ２２３０が回転ホイール２２１０の複数の磁石２２２０と磁気的に位置合わせされるように、第二のホール効果スイッチ２２３０を支持する。ホール効果スイッチ２１３０および２２３０が図示されて記載されるが、制御器２０００が、光学センサ、この光学センサと位置合わせされた照射部材などを備えて、ホール効果スイッチの作業および目的を達成し得ることは、本開示の範囲内である。
【００６２】
制御器２０００は、固定部材２５０２を介して支持ハウジング２３００およびベース部材２４００を支持するように構成された、裏打ち部材２５００を備える。制御器２０００は、ベース部材２４００に支持された、板ばねの形態のラチェット部材２４１０をさらに備える。ラチェット部材２４１０は、第一の回転可能部材２１００に形成されたラチェット歯のセット２１３０、および第二の回転可能部材２２００に形成されたラチェット歯のセット２２３０と作動可能に係合する。ラチェット部材２４１０は、第一の回転可能部材２１００および／または第二の回転可能部材２２００が回転する際に、クリック音の形態で、ある程度の触知フィードバックおよび／または可聴フィードバックを使用者に提供し得る。例えば、一連のナブまたはリブが、回転部材２１００、２２００の表面に提供され得、そして少なくとも１つのナブが、回転部材２１００、２２００のナブ／リブに隣接する関係で、表面上に提供され得る。可聴音は、当業者に公知である任意の方法に従って、電子的に合成されてもよいことがさらに想定される。
【００６３】
制御器２０００は、光、ＬＥＤ、記号などの形態の視覚インジケータを備え得ることが想定され、この視覚インジケータは、顎部分８１１ａの回転／旋回の方向、および／または顎部分８１１ａが中心位置もしくはホーム位置にあるときの視覚指標を操作者に提供する。
【００６４】
操作において、第一の回転可能部材２１００が回転すると、この第一の回転可能部材に支持された磁石２１２０が第一のホール効果スイッチ２１３０に対して移動して、第一のホール効果スイッチ２１３０を起動させ、これは次に、この第一のホール効果スイッチに接続された回路基板（図示せず）に、外科手術用デバイス８００の駆動構成要素（例えば、図１Ａに図示されるような、第一の駆動シャフト１１１０ａ）への適切な信号を提供させて、顎部分８１１ａの回転を引き起こす。さらに、第二の回転可能部材２２００が回転すると、この第二の回転可能部材に支持された磁石２２２０が第二のホール効果スイッチ２２３０に対して移動して、第二のホール効果スイッチ２２３０を起動させ、これは次に、この第二のホール効果スイッチに接続された回路基板（図示せず）に、外科手術用デバイス８００の駆動構成要素（例えば、図１Ａに図示されるような、第二の駆動シャフト１１１０ｂ）への適切な信号を提供させて、顎部分８１１ａの旋回を引き起こす。
【００６５】
有利には、第一の回転可能部材２１００の第一の方向への回転は、顎部分８１１ａの第一の方向への回転を引き起こし、そして第一の回転可能部材２１００の第二の方向への回転は、顎部分８１１ａの第二の方向への回転を引き起こす。同様に、第二の回転可能部材２２００の第一の方向への回転は、顎部分８１１ａの第一の方向への旋回を引き起こし、そして第二の回転可能部材２２００の第二の方向への回転は、顎部分８１１ａの第二の方向への旋回を引き起こす。
【００６６】
上記のように、制御器２０００は、第一の回転可能部材２１００および第二の回転可能部材２２００を備えるように構成され、ここで第二の回転可能部材２２００は、少なくとも部分的に、第一の回転可能部材２１００の内部に配置され得、そして第二の回転可能部材２２００は、第一の回転可能部材２１００に対して垂直に配向し得る。また、制御器２０００は、第一の回転可能部材２１００および第二の回転可能部材２２００を備え得、ここで第一の回転可能部材２１００と第二の回転可能部材２２００とは、同時に作動されることを可能にされ得る。しかし、第二の回転可能部材２２００が作動されるときに第一の回転可能部材２１００がロックされてもよいこと、およびその逆であってもよいことが、想定される。
【００６７】
図４を参照すると、本開示に従う制御器２０００を組み込む外科手術用デバイス８００の斜視背面図が与えられており、ここで、外科手術用デバイスは、キャブ・フォワード様式の構成を有する。具体的には、図１Ｂを参照しながら上に記載されたように、外科手術用デバイスは、ハンドル８１０３の上部分８１０５から角度を付けて近位に延びる中間部分８１０４を備える。
【００６８】
上記のことから、種々の図面を参照して、当業者は、特定の改変もまた、本開示の範囲から逸脱することなく本開示に対してなされ得ることを理解する。本開示の数個の実施形態が図面に示されたが、本開示はこれらに限定されることを意図されない。なぜなら、本開示は当該分野が許容すると同程度に範囲が広いこと、および本明細書も同様に読まれることが意図されるからである。従って、上記説明は、限定であると解釈されるべきではなく、単に、特定の実施形態の例示であると解釈されるべきである。当業者は、添付の特許請求の範囲の趣旨および範囲内で、他の改変を予測する。
【符号の説明】
【００６９】
８００  外科手術用デバイス
８１１ａ  エンドエフェクタまたは顎部分
８１１ｂ  シャフト部分
８１１ｃ  ヒンジ部分
８５０  第一の顎
８８０  第二の顎
８１０３  ハンドル
８１０１ａ  遠位部分
８１０１ｂ  近位部分
２０００  制御器
２１００  第一の回転可能部材
２２００  第二の回転可能部材
【図１Ａ】
0005777212.tif 000002
【図１Ｂ】
0005777212.tif 000003
【図２】
0005777212.tif 000004
【図３Ａ】
0005777212.tif 000005
【図３Ｂ】
0005777212.tif 000006
【図４】
0005777212.tif 000007